(57)【要約】【課題】  呼出操作時にも、玄関子機の氏名条片の自照が消灯することのないインターホン装置を提供することを目的とする。【解決手段】  直列に接続した２個のダイオード２１，２１の順方向電圧を基準電圧として定電流回路２２を形成し、その電流で直列接続した２個のＬＥＤ２０，２０を発光動作させた。更に、呼出スイッチ回路１０の動作電源を２個のＬＥＤ２０，２０のカソード側から供給した。【選択図】  図２
2005045614.tif 000002
【特許請求の範囲】
【請求項１】
２線から成る信号線で結ばれた玄関子機と居室親機とからなるインターホン装置において、前記玄関子機はＬＥＤから成る発光手段により自照する氏名条片を有し、前記ＬＥＤは、ダイオードの順方向電圧を基準とした定電流回路の電流で発光動作することを特徴とするインターホン装置。
【請求項２】
前記玄関子機の呼出スイッチをオンしたときに、前記ＬＥＤが消灯しないように呼出スイッチ回路の動作電源を、前記ＬＥＤのカソード側から供給することを特徴とする請求項１記載のインターホン装置。
【請求項３】
前記発光手段は直列接続された２個のＬＥＤから成り、前記玄関子機の待ち受け時の電源電圧が略６ボルトであることを特徴とする請求項１又は２記載のインターホン装置。
【発明の詳細な説明】
【技術分野】
【０００１】
本発明は、玄関子機と居室親機が２線で接続されたインターホン装置に関し、特に自照する氏名条片を備えたインターホン装置に関する。
【背景技術】
【０００２】
玄関子機と居室親機とが２線で接続されたインターホン装置は、施工が簡単なため、広く普及している。この中で、玄関子機の位置や呼出ボタンの位置を明示するためにＬＥＤから成る発光手段を設けた玄関子機として、例えば特許文献１に示す構成のものがあった。これは、待ち受け時に居室親機から玄関子機に印加される電圧でＬＥＤを発光させていた。
【０００３】
【特許文献１】実開昭５６−５６２５６号公報
【発明の開示】
【発明が解決しようとする課題】
【０００４】
ところが、２線式のインターホン装置は待ち受け時と通話時とで線路電圧、即ち、居室親機から玄関子機に供給される電圧が大きく変化し、玄関子機から呼出操作をした場合、例えば待ち受け時は６ボルトであったものが、４ボルトに低下した後、テレビカメラを駆動させるために１２ボルトへと変化する。そのため、上記従来の回路ではＬＥＤが一瞬消灯する、あるいは極端に明るくなってしまう。このように、上記構成のままでは、単に所在を明示するような利用においては効果を有するものの、氏名条片を自照させて所在を明示すると共に住居人名も明示するような使用形態の場合、一定の明るさで継続した点灯が要求されるので不向きであった。
【０００５】
そのため、図４に示すように、ＬＥＤ駆動回路３０に定電流回路３１を設けてＬＥＤ３２を定電流発光させて氏名条片の自照に利用する構成が考えられる。図４は玄関子機の要部回路図を示すもので、３３は呼出スイッチ回路、３４は電源スイッチ回路、３５はインピーダンス変換回路であり、ＬＥＤ駆動回路３０に、ツェナーダイオード３７のツェナー電圧を基準電圧とする定電流回路３１を設けて、ＬＥＤ３２が定電流駆動するよう構成している。また、この回路は、図３のブロック図に示すインターホン装置の一部として構成された場合を示しているもので、図３において、４１は玄関子機、４２は居室親機であり、玄関子機４１は、上記回路の他に、テレビカメラ４３、テレビカメラ４３の映像信号を変調する変調回路４４、スピーカ及びマイクを備えた通話回路４５、電源回路４６を有し、呼出スイッチ回路３３は呼出ボタンで操作される呼出スイッチ３８を備えている。
また、居室親機４２において、４８はテレビモニタ、４９は復調回路、５０は通話回路、５１はインピーダンス変換回路、５２は電源回路である。
【０００６】
しかし、この構成の場合、ツェナーダイオードを備えた定電流回路３１でＬＥＤ３２を駆動するので、電圧の上昇する変動に対しては良好に対応できるが、電源電圧がツェナー電圧以下となった場合ＬＥＤ３２は消灯してしまう。そのため、電圧の低下に対しては有効ではなく、実際に呼出操作により呼出スイッチ回路３３が動作してＬＥＤ駆動回路３０の電圧が大きく下がる僅かの時間、ＬＥＤ３２は消灯動作していた。
【０００７】
そこで、本発明はこのような問題点に鑑み、呼出操作時にも、ＬＥＤが消灯することがなく、氏名条片が自照し続けるインターホン装置を提供することを目的とする。
【課題を解決するための手段】
【０００８】
請求項１の発明は、２線から成る信号線で結ばれた玄関子機と居室親機とからなるインターホン装置において、玄関子機はＬＥＤから成る発光手段により自照する氏名条片を有し、ＬＥＤは、ダイオードの順方向電圧を基準とした定電流回路の電流で発光動作することを特徴とする。
この構成により、ＬＥＤを駆動する定電流回路の動作電圧を例えば１．４ボルトと低く設定できるので、ＬＥＤの駆動電圧の低下に対して余裕を持たせることができ、電圧低下によるＬＥＤの消灯を防ぐことが可能となる。
【０００９】
請求項２の発明は、請求項１の発明において、玄関子機の呼出スイッチをオンしたときに、ＬＥＤが消灯しないように呼出スイッチ回路の動作電源を、ＬＥＤのカソード側から供給することを特徴とする。
この構成により、呼出スイッチのオン動作によりＬＥＤの駆動電圧が大きく低下しても、電流の供給が止まることが無いので、電圧低下によるＬＥＤの消灯を確実に防ぐことができ、ＬＥＤは一定の照度で発光を継続できる。
【００１０】
請求項３の発明は、請求項１又は２の発明において、発光手段は直列接続された２個のＬＥＤから成り、玄関子機の待ち受け時の電源電圧が略６ボルトであることを特徴とする。
この構成により、玄関子機の駆動に広く採用されている待ち受け電圧により２個のＬＥＤを発光でき、而も１個のＬＥＤ分の電流で済む。従って、居室親機を変更しなくても、氏名条片の良好な自照を実現することが可能となる。
【発明の効果】
【００１１】
このように、本発明によれば、ＬＥＤを駆動する定電流駆動回路の動作電圧を例えば１．４ボルトとツェナー電圧に比べて低く設定できるので、ＬＥＤ駆動電圧の低下に対して余裕を持たせることができ、電圧低下によるＬＥＤの消灯を防ぐことができる。
また、呼出スイッチ回路の動作電源を、ＬＥＤのカソード側から供給することで、呼出スイッチのオン動作によりＬＥＤ駆動電圧が大きく低下しても電流の供給が止まることが無くなり、電圧低下によるＬＥＤの消灯を確実に防ぐことができる。
【発明を実施するための最良の形態】
【００１２】
以下、本発明を具体化した実施の形態を、図面に基づいて詳細に説明する。図１は本発明に係るインターホン装置の主要部のブロック図を示し、１は玄関子機、２は居室親機であり、両者は２本の信号線３で接続されている。
【００１３】
そして、玄関子機１は、図示するように、訪問者を撮影するテレビカメラ５、テレビカメラ５が撮影した映像信号を例えばＦＭ信号に変調する変調回路６、マイク及びスピーカを備えた通話回路７、映像信号を良好に居室親機に伝送するために映像信号線路のインピーダンスを大きな値に変換するインピーダンス変換回路８、氏名条片（図示せず）を自照させる発光手段としてのＬＥＤを備えたＬＥＤ駆動回路９、呼出ボタンの押下操作で動作する呼出スイッチを備え、呼び出しを居室親機に伝えるための呼出スイッチ回路１０、呼出スイッチ回路１０の動作で電源回路１２を駆動する電源スイッチ回路１１を備え、電源回路１２はテレビカメラ５を駆動するための回路である。
また、居室親機２は、玄関子機１から送られてきた映像信号を復調する復調回路１４、復調した映像信号を出画させるテレビモニタ１５、マイク及びスピーカを備えて玄関子機１との間で通話するための通話回路１６、映像信号伝送路のインピーダンスを大きな値に変換するインピーダンス変換回路１７、外部電源から電力の供給を受けて直流電圧に変換して各部に供給する電源回路１８を備えている。
【００１４】
このように構成されたインターホン装置は、次のように動作する。玄関子機１の呼出ボタンが押下されて呼出スイッチがオンされたら、呼出スイッチ回路１０が動作して電源スイッチ回路１１がオンする。すると、電源回路１２が立ち上がって信号線３を流れる電流が急増し、居室親機２から玄関子機１に供給される電圧が低下する。
一方、居室親機２は、電圧の低下を検知して電源回路１８の出力電圧を、待ち受け時６ボルトであった電圧を１２ボルトに上昇させる。この電圧上昇により玄関子機１の電源回路１２がテレビカメラ５の駆動電圧を出力してテレビカメラ５が撮像を開始する。同時にテレビモニタ１５がオンしてテレビカメラ５からの映像信号を出画する。また、双方の通話回路７，１６により通話が可能となる。
【００１５】
図２は、上記ブロック図に示した回路のうち、ＬＥＤ駆動回路９及びその周囲の回路を具体的に示している。図２に示すように、ＬＥＤ駆動回路９はＬＥＤ２０を２個直列に備えている。また、２個のダイオード２１，２１を直列接続して基準電圧を生成する定電流回路２２を備え、２個のＬＥＤ２０，２０を定電流駆動している。尚、ＬＥＤ２０は、氏名条片の背部に配置され、氏名条片を自照させている。
そして、呼出スイッチ２３を備えた呼出スイッチ回路１０は、呼出スイッチ２３の一方が２個のＬＥＤ２０，２０のカソード側であって、ＬＥＤ２０と定電流回路２２の間に接続されているため、呼出スイッチ回路１０がオン動作した際に、双方のＬＥＤ２０のカソード側から電流の供給を受けるよう構成されている。
また、電源スイッチ回路１１は、呼出スイッチ回路１０のオン動作によりオンし、電源回路１２にＬＥＤ２０と共通電源部位から電流の供給が開始される。
【００１６】
このように構成することで、定電流回路２２の基準電圧は略１．４ボルトであるため、ツェナーダイオードで設定される例えば５ボルトに比べて定電流駆動する電圧許容範囲を広く採ることができ、居室親機２から供給される電圧が例えば５ボルト以下に低下しても、ＬＥＤが消灯するようなことが無くなる。更に、呼出スイッチ回路１０の駆動電流はＬＥＤのカソードから供給されるので、呼出スイッチ２３をオンした際、ＬＥＤ駆動電圧が大きく低下しても、電流の供給が止まることが無く、電圧低下によるＬＥＤの消灯を確実に阻止できる。従って、氏名条片は、消灯したり明るさが変動するようなことが無く、常時良好に自照動作する。
また、広く採用されている待ち受け電圧である６ボルトにおいて、居室親機からの供給電流を大きく増やすことなく２個のＬＥＤを発光でき、居室親機を変更しなくても、氏名条片の良好な自照を実現することも可能である。
【００１７】
尚、この実施形態では、呼出スイッチ回路１０の電源をＬＥＤ２０のカソード部から供給しているが、ダイオード２１の順方向電圧を定電流回路の基準電圧とするだけで、定電流回路の基準電圧を十分低くできるので、ＬＥＤ２０のアノード側から供給、即ち、呼出スイッチ回路１０の電源がＬＥＤ２０の電源部と共通としてもＬＥＤ２０の安定発光に大きく寄与できる。
また、ＬＥＤを２個用いて発光手段を形成しているが、勿論１個で形成しても良い。また、待ち受け時の電圧が６ボルトであるため２個のＬＥＤとしているが、待ち受け電圧が例えば８ボルトと高い場合は、ＬＥＤ３個を直列接続することも可能である。
【図面の簡単な説明】
【００１８】
【図１】本発明に係るインターホン装置のブロック図である。
【図２】図１の要部回路図である。
【図３】従来のインターホン装置のブロック図である。
【図４】図３の要部回路図である。
【符号の説明】
【００１９】
１・・玄関子機、２・・居室親機、３・・信号線、９・・ＬＥＤ駆動回路、１０・・呼出スイッチ回路、１１・・電源スイッチ回路、２０・・ＬＥＤ、２１・・ダイオード、２２・・定電流回路、２３・・呼出スイッチ。
【図１】
2005045614.tif 000003
【図２】
2005045614.tif 000004
【図３】
2005045614.tif 000005
【図４】
2005045614.tif 000006